【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
（ｉ）１０〜９５重量％のトランス−１，３，３，３−テトラフルオロプロペン（Ｒ−１２３４ｚｅ（Ｅ））、
（ｉｉ）２〜３０重量％の二酸化炭素（Ｒ−７４４）、及び
（ｉｉｉ）３〜６０重量％の、ジフルオロメタン（Ｒ−３２）、１，１，１，２−テトラフルオロエタン（Ｒ−１３４ａ）及びそれらの混合物から選択される第三成分を含んでなる、熱伝達組成物。
【請求項２】
４〜３０重量％を含んでなる、請求項１に記載の組成物。
【請求項３】
４〜２８重量％のＲ−７４４を含んでなる、請求項１に記載の組成物。
【請求項４】
８〜３０重量％のＲ−７４４を含んでなる、請求項１に記載の組成物。
【請求項５】
１０〜３０重量％のＲ−７４４を含んでなる、請求項１に記載の組成物。
【請求項６】
５０重量％までの第三成分を含んでなる、請求項１〜５のいずれか一項に記載の組成物。
【請求項７】
６５℃より高い臨界温度を有する請求項１〜６のいずれかに記載の組成物。
【請求項８】
７０℃より高い臨界温度を有する請求項７に記載の組成物。
【請求項９】
第三成分が、Ｒ−１３４ａを含んでなる、請求項１〜８のいずれか一項に記載の組成物。
【請求項１０】
第三成分が、２〜５０重量％のＲ−１３４ａを含んでなる、請求項９に記載の組成物。
【請求項１１】
２０〜９４重量％のＲ−１２３４ｚｅ（Ｅ）、２〜３０重量％のＲ−７４４及び４〜５０重量％のＲ−１３４ａを含んでなる、請求項１〜１０のいずれか一項に記載の組成物。
【請求項１２】
６０〜９２重量％のＲ−１２３４ｚｅ（Ｅ）、４〜３０重量％のＲ−７４４及び４〜１０重量％のＲ−１３４ａを含んでなる、又は２０〜８６重量％のＲ−１２３４ｚｅ（Ｅ）、４〜３０重量％のＲ−７４４及び１０〜５０重量％のＲ−１３４ａを含んでなる、請求項１１に記載の組成物。
【請求項１３】
６２〜８６重量％のＲ−１２３４ｚｅ（Ｅ）、１０〜２８重量％のＲ−７４４及び４〜１０重量％のＲ−１３４ａを含んでなる、又は２２〜８０重量％のＲ−１２３４ｚｅ（Ｅ）、１０〜２８重量％のＲ−７４４及び１０〜５０重量％のＲ−１３４ａを含んでなる、請求項１２に記載の組成物。
【請求項１４】
第三成分が、Ｒ−３２を含んでなる、請求項１〜８のいずれか一項に記載の組成物。
【請求項１５】
第三成分が、２〜３０重量％のＲ−３２を含んでなる、請求項１４に記載の組成物。
【請求項１６】
６０〜９１重量％のＲ−１２３４ｚｅ（Ｅ）、４〜３０重量％のＲ−７４４及び５〜３０重量％のＲ−３２を含んでなる、請求項１５に記載の組成物。
【請求項１７】
５８〜８５重量％のＲ−１２３４ｚｅ（Ｅ）、１０〜２８重量％のＲ−７４４及び５〜３０重量％のＲ−３２を含んでなる、又は５０〜８８重量％のＲ−１２３４ｚｅ（Ｅ）、４〜３０重量％のＲ−７４４及び２〜２０重量％のＲ−３２を含んでなる、請求項１６に記載の組成物。
【請求項１８】
第三成分がＲ−１３４ａ及びＲ−３２を含んでなる、請求項１〜８のいずれか一項に記載の組成物。
【請求項１９】
１０〜９５重量％のＲ−１２３４ｚｅ（Ｅ）、４〜３０重量％のＲ−７４４、２〜３０重量％のＲ−３２及び２〜５０重量％のＲ−１３４ａを含んでなる、請求項１８に記載の組成物。
【請求項２０】
１０〜９２重量％のＲ−１２３４ｚｅ（Ｅ）、４〜３０重量％のＲ−７４４、２〜２５重量％のＲ−３２及び２〜４０重量％のＲ−１３４ａを含んでなる、又は３０〜８１重量％のＲ−１２３４ｚｅ（Ｅ）、１０〜３０重量％のＲ−７４４、５〜３０重量％のＲ−３２及び４〜１０重量％のＲ−１３４ａを含んでなる、又は１０〜７５重量％のＲ−１２３４ｚｅ（Ｅ）、１０〜３０重量％のＲ−７４４、５〜２５重量％のＲ−３２及び１０〜５０重量％のＲ−１３４ａを含んでなる、請求項１９に記載の組成物。
【請求項２１】
３７〜８１重量％のＲ−１２３４ｚｅ（Ｅ）、１０〜２８重量％のＲ−７４４、５〜２５重量％のＲ−３２及び４〜１０重量％のＲ−１３４ａを含んでなる、又は１０〜７５重量％のＲ−１２３４ｚｅ（Ｅ）、１０〜２８重量％のＲ−７４４、５〜２５重量％のＲ−３２及び１０〜４０重量％のＲ−１３４ａを含んでなる請求項２０に記載の組成物。
【請求項２２】
Ｒ−１２３４ｚｅ（Ｅ）、Ｒ−７４４及び第三成分から本質的になる、請求項１〜２１のいずれか一項に記載の組成物。
【請求項２３】
ペンタフルオロエタン（Ｒ−１２５）をさらに含んでなる、請求項１〜２１のいずれか一項に記載の組成物。
【請求項２４】
４〜３４重量％の二酸化炭素（Ｒ−７４４）及び６６〜９６重量％のトランス−１，３，３，３−テトラフルオロプロペン（Ｒ−１２３４ｚｅ（Ｅ））から本質的になる組成物。
【請求項２５】
４〜３０重量％のＲ−７４４及び７０〜９６重量％のＲ−１２３４ｚｅ（Ｅ）から本質的になる、請求項２４に記載の組成物。
【請求項２６】
６〜３０重量％のＲ−７４４及び７０〜９４重量％のＲ−１２３４ｚｅ（Ｅ）から本質的になる、請求項２５に記載の組成物。
【請求項２７】
７０℃よりも高い臨界温度を有する請求項２４〜２６のいずれか一項に記載の組成物。
【請求項２８】
組成物が、Ｒ−３２単独又はＲ−１２３４ｙｆ単独よりも可燃性が低い、請求項１〜２７のいずれか一項に記載の組成物。
【請求項２９】
組成物が、Ｒ−３２単独又はＲ−１２４３ｙｆ単独と比べて、
（ａ）高い可燃限界、
（ｂ）高い点火エネルギー、及び／又は
（ｃ）低い火炎速度、
を有している、請求項２８に記載の組成物。
【請求項３０】
０．４２〜０．７のフッ素比（Ｆ／（Ｆ＋Ｈ））を有してなる、請求項１〜２９のいずれか一項に記載の組成物。
【請求項３１】
０．４４〜０．６７のフッ素比（Ｆ／（Ｆ＋Ｈ））を有してなる、請求項３０に記載の組成物。
【請求項３２】
不燃性である、請求項１〜３１のいずれか一項に記載の組成物。
【請求項３３】
潤滑剤及び請求項１〜３２のいずれか一項に記載の組成物を含む組成物。
【請求項３４】
潤滑剤は、鉱油、シリコーンオイル、ポリアルキルベンゼン（ＰＡＢｓ）、ポリオールエステル（ＰＯＥｓ）、ポリアルキレングリコール（ＰＡＧｓ）、ポリアルキレングリコールエステル（ＰＡＧエステル）、ポリビニルエーテル（ＰＶＥｓ）、ポリ（α−オレフィン）及びそれらの組み合わせから選択される、請求項３３に記載の組成物。
【請求項３５】
安定剤をさらに含んでなる、請求項３３又は３４に記載の組成物。
【請求項３６】
安定剤が、ジエン系化合物類、ホスフェート類、フェノール化合物類及びエポキシド類並びにそれらの混合物から選択される、請求項３５に記載の組成物。
【請求項３７】
難燃剤及び請求項１〜３６のいずれか一項に記載の組成物を含む組成物。
【請求項３８】
難燃剤が、トリ−（２−クロロエチル）− ホスフェート、（クロロプロピル）ホスフェート、トリ−（２，３−ジブロモプロピル）−ホスフェート、トリ−（１，３−ジクロロプロピル）−ホスフェート、リン酸二アンモニウム、様々なハロゲン化芳香族化合物、酸化アンチモン、アルミニウム三水和物、ポリ塩化ビニル、フッ素化ヨードカーボン、フッ素化ブロモカーボン、トリフルオロヨードメタン、パーフルオロアルキルアミン類、ブロモフルオロアルキルアミン及びそれらの混合物からなる群から選択される請求項３７に記載の組成物。
【請求項３９】
請求項１〜３８のいずれか一項に記載の組成物を含有している、熱伝達装置。
【請求項４０】
熱伝達装置における、請求項１〜３８のいずれか一項に記載の組成物の使用。
【請求項４１】
冷却装置である、請求項３９に記載の熱伝達装置。
【請求項４２】
自動車空調システム、住宅用空調システム、業務用空調システム、住宅用冷蔵庫システム、住宅用冷凍庫システム、業務用冷蔵庫システム、業務用冷凍庫システム、冷却機空調システム、冷却機冷却システムと、業務用又は住宅用ヒートポンプシステムからなる群より選択される、請求項４１に記載の熱伝達装置。
【請求項４３】
圧縮器を内蔵している、請求項４１又は４２に記載の熱伝達装置。
【請求項４４】
請求項１〜３８のいずれか一項に記載の組成物を含んでなる、発泡剤。
【請求項４５】
発泡体を形成可能な１種以上の成分と、請求項１〜３８のいずれか一項に記載の組成物とを含んでなる発泡性組成物であって、発泡体を形成可能な１種以上の成分が、ポリウレタン類、熱可塑性ポリマー及び樹脂、例えばポリスチレン、及びエポキシ樹脂、並びにそれらの混合物から選択される、発泡性組成物。
【請求項４６】
請求項１〜３８のいずれか一項に記載の組成物を含んでなる、発泡体。
【請求項４７】
スプレーされるべき物質と、請求項１〜３８のいずれか一項に記載の組成物を含んでなる噴射剤とを含んでなる、スプレー用組成物。
【請求項４８】
請求項１〜３８のいずれか一項に記載の組成物を凝縮させ、その後、冷却されるべき物品の近くで該組成物を蒸発させることを含んでなる、物品を冷却する方法。
【請求項４９】
加熱されるべき物品の近くで請求項１〜３８のいずれか一項に記載の組成物を凝縮させ、その後、該組成物を蒸発させることを含んでなる、物品を加熱する方法。
【請求項５０】
請求項１〜３８のいずれか一項に記載の組成物を含んでなる溶媒とバイオマスを接触させ、該溶媒から物質を分離することを含んでなる、バイオマスから物質を抽出する方法。
【請求項５１】
物品を請求項１〜３８のいずれか一項に記載の組成物を含んでなる溶媒と接触させることを含んでなる、物品を清浄化する方法。
【請求項５２】
請求項１〜３８のいずれか一項に記載の組成物を含んでなる溶媒と水溶液又は粒状固体マトリックスを接触させ、該溶媒から物質を分離することを含んでなる、水溶液又は粒状固体マトリックスから物質を抽出する方法。
【請求項５３】
請求項１〜３８のいずれか一項に記載の組成物を含有している、機械的動力発生装置。
【請求項５４】
ランキンサイクル又はその変法を用いて熱から仕事を発生するように構成されている、請求項５３に記載の機械的動力発生装置。
【請求項５５】
既存の熱伝達流体を除去して、請求項１〜３８のいずれか一項に記載の組成物を導入する工程を含んでなる、熱伝達装置を改修する方法。
【請求項５６】
熱伝達装置が冷却装置又は空調システムである、請求項５５に記載の方法。
【請求項５７】
既存の化合物又は組成物を含んでなる製品の取扱いから生じる環境影響を減らす方法であって、少なくとも部分的に既存の化合物又は組成物を請求項１〜３８のいずれか一項に記載の組成物で置き換えることを含んでなる、方法。
【請求項５８】
Ｒ−１３４ａを含有する、請求項１〜３８のいずれか一項に記載の組成物及び／又は請求項３９及び４１〜４３のいずれか一項に記載の熱伝達装置を製造する方法であって、Ｒ−１２３４ｚｅ（Ｅ）、Ｒ−７４４、第三成分、並びに所望によりＲ−１２５、潤滑剤、安定剤及び／又は難燃剤を、Ｒ−１３４ａである既存の熱伝達流体を含有した熱伝達装置へ導入することを含んでなる、方法。
【請求項５９】
Ｒ−１２３４ｚｅ（Ｅ）、Ｒ−７４４、第三成分、並びに所望によりＲ−１２５、潤滑剤、安定剤及び／又は追加の難燃剤を導入する前に、既存のＲ−１３４ａの少なくとも一部を熱伝達装置から除去する工程を含んでなる、請求項５８に記載の方法。
【請求項６０】
製品が熱伝達装置、発泡剤、発泡性組成物、スプレー用組成物、溶媒又は機械的動力発生装置から選択される、請求項５７に記載の方法。
【請求項６１】
既存の化合物又は組成物が熱伝達組成物である、請求項５６、５８及び５９のいずれか一項に記載の方法。
【請求項６２】
熱伝達組成物が、Ｒ−１３４ａ、Ｒ−１２３４ｙｆ、Ｒ−１５２ａ、Ｒ−４０４Ａ、Ｒ−４１０Ａ、Ｒ−５０７、Ｒ−４０７Ａ、Ｒ−４０７Ｂ、Ｒ−４０７Ｄ、Ｒ−４０７Ｅ、及びＲ−４０７Ｆから選択される冷媒である、請求項６１に記載の方法。
【手続補正２】
【補正対象書類名】明細書
【補正対象項目名】００３３
【補正方法】変更
【補正の内容】
【００３３】
典型的には、本発明の組成物は、約６０重量％までの第三成分を含有している。好ましくは、本発明の組成物は、約５０重量％までの第三成分を含有している。好都合には、本発明の組成物は、約４５重量％までの第三成分を含有している。一態様において、本発明の組成物は、約１〜約４０重量％の第三成分を含有している。